(57)【特許請求の範囲】
【請求項１】
テキスト／線画領域、及び画像領域の両方を含むドキュメント画像を処理するシステムにおいて、画像のセグメントをエイリアシング除去する方法であって、
該方法が、
ドキュメント画像を受像するステップを含み、
エイリアシング作用を抑制する方法で画像を修正するために、画像内のテキスト／線画領域にエイリアシング除去フィルターを適用するステップを含み、
エイリアシング除去フィルターによって修正された画素にタグを付与するステップを含み、
付与されたタグが、後続の処理操作において検知可能である、
テキスト／線画領域、及び画像領域の両方を含むドキュメント画像を処理するシステムにおいて、画像のセグメントをエイリアシング除去する方法。
【請求項２】
前記画像内のテキスト／線画領域にエイリアシング除去フィルターを適用するステップが、出力解像度よりも高い解像度における高解像度画像としての画像のレンダリングを含み、
エイリアシング除去フィルターによって修正された画素にタグが付与するステップが、特定の出力解像度画素に関連する高解像度画素を識別するために、前記高解像度画像上に前記出力解像度構造を重ね合わせるステップを有し、
前記特定の出力画素に関連する高解像度画素が全て、可能な画素レベルの範囲のほぼ極値であるか否かを決定するステップを有し、
前記高解像度画素が全て、可能な画素レベルの範囲の最低及び最高グレーレベルの１〜５％である場合、前記画素をエイリアスが除去された画素としてタグを付与するステップを有する、
請求項１記載の方法。
【請求項３】
テキスト／線画領域、及び画像領域の両方を含むドキュメント画像を処理するディジタルフロントエンドを有するプリントシステムにおいて画像のセグメントをエイリアシング除去する方法であって、
該方法が、
プリントするためのドキュメント画像を媒体上に受像するステップを含み、
画像内に存在するエイリアシング作用を抑制する方法で画像を修正するために、画像内のテキスト／線画領域にエイリアシング除去フィルターを適用するステップを含み、
前記エイリアシング除去フィルターによって修正される画素にタグを付与するステップを含み、
付与されたタグは、後続の処理操作において検知可能である、
テキスト／線画領域、及び画像領域の両方を含むドキュメント画像を処理するディジタルフロントエンドを有するプリントシステムにおいて画像のセグメントをエイリアシング除去する方法。
【発明の詳細な説明】
【０００１】
【発明の属する技術分野】
本発明は、全般的に、レンダリングタグを生成し、エイリアスが除去された画像のプリントを促進するために、ラスタ画像処理装置（ＲＩＰ）において作用するのが好ましい方法に関し、更に詳細には、画素がエイリアスを除去される際に、エイリアスが除去されたレンダリングタグを生成する方法に関する。
【０００２】
【従来の技術】
テキストを含む線及び多角形のエッジ上のジャギー(jaggie)の軽減又は除去を含むいくつかの理由のため、線画及び一定の図形画像構造のディジタル化のコンテキストにおけるエイリアシング除去は、中間レベルの強度を用い、エッジのサブピクセル位置を達成する方法として最もよく知られる。ジャギーは、主に水平又は垂直に近づく斜めの線のエッジにおいて見られる。用語、エイリアシング除去とは、通常、サンプリング率が低すぎる場合に、高周波数信号のサンプリングからもたらされる低周波数の存在を表すアナログ用語、エイリアシングを連想させる。
【０００３】
垂直に近い（又は水平に近い）線のセグメントを考える。プリントされた媒体に完全に複写されるために、エッジの位置を表す位相はセグメントの長さに沿って連続的に変化しなければならない。バイレベルディスプレイ又は印刷された出力の固有のサンプリングによって位相は不連続性を示す。そのため、エイリアシングは、その構造がジャギーと呼ばれるぎざぎざの様相の誘発をもたらす。サンプル画像内において、あらゆる図形のオブジェクトは、最終的に多角形又は多角形の集合に近似する。これらの多角形は、そのうちのいくつかがエイリアシング（ジャギー及び他の配置欠陥）を示すであろうまっすぐなエッジを有する。例えば、図１は、２つのディメンションでエイリアシングを図示する。図１の上部の三角形がラスタライズされる際、図１の下部に図示される三角形に複写されるようにエッジがエイリアシングされる。特に、底部エッジに沿った位置は、図１の下部の画像に左から右に見られるようにコラム（縦列）からコラムにわずかに上向きに移動すべきである。しかしながら、例示されるように、位置は量子化され、三角形の下部に沿ってぎざぎざの様相を作り出す。更にサンプリングの結果、エイリアスが除去された画像の可視性は、ジャギーの規則正しい特質によって増加する。
【０００４】
エイリアスが除去された画素を利用するために、以下のシステム及びそれらの能力又は不能力性を考慮する。例えば、ゼロックス(Xerox) のドキュカラー(Docucolor) ４０は、エイリアスが除去された画素を付与するために高周波数アナログラインスクリーンを用いるが、それはいくつかの製品又はマークされたセグメントのための選択事項ではない。レンダリングモジュールにおいて従来のスクリーン（例えば、約130-150 ＣＰＩドットに等しい）が用いられる際、エイリアスが除去された画素はハーフトーンにされて印刷され、文字のエッジに沿って位置付けされる好ましくないハーフトーンドットをもたらす。例えば、Curry, et al. によって米国特許第５，１３８，３３９号及び米国特許第５，４８５，２８９号に述べられる超鮮鋭（ｈｙｐｅｒａｃｕｉｔｙ）プリント技術は、強化された線画において、同時にドットスクリーンハーフトーンをプリントすることが両立可能なエイリアスが除去された画素のレンダリングを提供することができる。しかしながら、これらの技術はエイリアスが除去された画素をエイリアスが除去された線画として識別するためにタグの使用を必要とする。本発明に関して述べられる好ましい実施形態において、両画像タイプを適切に処理するために、レンダリングのアーキテクチャは、テキスト／線をコントーン画像と区別する。本明細書に述べられるように、アルゴリズム又は方法はレンダリングモジュール又はレンダリングデバイスの他の構成装置において用いられ、グレーのエイリアスが除去された画素をゼログラフィックプリントに好適な形態に変換することができる。
【０００５】
最終又は所望の出力解像度よりも高い解像度において画像を捕捉し、平均プロセスを用いてサブサンプリングすることにより画像の解像度を低下させることによって、エイリアスが除去された画像を生成することができる。
【０００６】
例えば、連続する階調画像をシミュレートするためにハーフトーニングプロセスを用いる多くのゼログラフィック又はインクジェットシステムなどのバイナリプリントシステムにおいて、これらのエイリアスが除去されたエッジの画素は、非常に高周波数のセル、理想的には最終的な出力画像の解像度を有するセルと共に、付与されるべきである。標準システムのハーフトーンドットが用いられる場合、エイリアスが除去されたエッジは、標準のハーフトーン周波数において鋸歯状又はぎざぎざであろう。このレンダリングはエイリアシング除去を介して得られるあらゆる値を低下させるか、又は無効にしさえもする。エイリアスが除去された画像の全域にわたる非常に高い周波数のスクリーンの使用は、エイリアスが除去された画素を適切に付与するが、画像全体で階調曲線をとがらし、プリント品質の欠陥を引き起こしがちである。
【０００７】
【発明が解決しようとする課題】
そのため、本発明は、レンダリングデバイスのアーキテクチャ内、また特に、このようなシステムのラスタ画像処理装置（又はディジタルフロントエンド）内に適用されるエイリアスが除去された画素をタグ付けする方法に関する。処理の初期段階におけるこのようなシステムの実行は、後処理の間、エイリアスが除去された画素の正確で信頼可能な識別を可能にする。エイリアスが除去された画素の正確な識別は、画像の連続的な階調セグメントに適用される方法とは区別可能で、より適切な方法で、エイリアスが除去された画素が付与されることを可能にする。
【０００８】
これまでに、若干の特許及び刊行物がエイリアシング除去に関連する情報を開示した。その関連部分が以下に簡潔に要約されるであろう。
【０００９】
１９９７年７月８日にMotamed et al.に対して発行された米国特許第５，６４６，７５１号は、画素のタグ付けを用いて色の変換操作の速度を向上させる方法を教示する。
【００１０】
"A Comparison of Antialiasing Techniques,"  IEEE CG&A, Vol. 1, No. 1, １９８１年１月、４０−４８ページにおいて、F. Crow はプレフィルターリングは計算処理上エイリアシング除去に有効な技術であることを教示する。
【００１１】
【課題を解決するための手段】
本発明に従って、テキスト／線画領域、及び画像領域の両方を含むドキュメント画像を処理するシステムにおいて、画像のセグメントをエイリアシング除去する方法が提供され、該方法は、ドキュメント画像を受像するステップと、エイリアシング作用を抑制する方法で画像を修正するために、画像内のテキスト／線画領域にエイリアシング除去フィルターを適用するステップと、エイリアシング除去フィルターによって修正された画素を同時に識別するステップと、識別された画素の表示を提供し、前記表示が後続の処理操作で検知可能であるステップとを含む。
【００１２】
本発明のもう１つの態様に従って、テキスト／線画領域及び画像領域の両方を含むドキュメント画像を処理するディジタルフロントエンドを有するプリントシステムにおいて、画像のセグメントをエイリアシング除去する方法とが提供され、該方法は、媒体上にプリントするためのドキュメント画像を受像するステップを含み、該領域に存在するエイリアシング作用を抑制する方法で画像を修正するために、画像内のテキスト／線画領域にエイリアシング除去フィルターを適用するステップを含み、エイリアシング除去フィルターによって修正された画素を同時に識別するステップを含み、識別された画素の表示を提供し、該表示が後続の処理操作において検知可能であるステップを含む。
【００１３】
本発明の１つの態様は、エイリアスが除去された画像、特に、テキスト及び線画領域のレンダリングにおける基本的な問題に関し、画素レベルでのエイリアスが除去された画像セグメントの識別に関する。この態様は、更に、識別がラスタ画像処理の時点で、すなわちエイリアシング除去が起こった際、及びエイリアシング除去が画素又は同様の小さな画像セグメントに関連する、タグ又は同様の表示によって示唆された際に達成されるのが好ましいという認識に基づく。この技術は、画像の特定のセグメントがエイリアスを除去されているという表示を検知する上で、それに従ってレンダリング操作を指示するレンダリングアーキテクチャを更に用いる。
【００１４】
本発明は、好ましい実施形態に関連して記述されるが、記述される実施形態に本発明を限定する意図はないことが理解されるであろう。逆に、添付される請求項によって定義され得るような本発明の精神及び範囲内に含まれる全ての代替物、変更例、及び同等物を含むことが本発明の意図とされる。
【００１５】
【発明の実施の形態】
本発明の一般的な理解のため、図が参照される。図では、同一のエレメントを称するために同様の参照番号が終始にわたって用いられている。本発明の説明では、以下の用語が記述において用いられた。
【００１６】
用語、「データ」は本明細書において情報を示唆又は含む物理的な信号を表す。「画像」、即ち、物理的な光のパターンは、文字、単語、及びテキスト並びにグラフィックなどの他の特徴を含みうる。画像は「セグメント」に分けられ、その各々そのものが画像である。画像のセグメントは、画像全体までのあらゆる大きさ、及び画像全体を含む大きさであり得る。
【００１７】
画像における各位置は、「画素」と呼ばれてもよい。各画素の値は、画像の「バイナリ形態」のビットで、グレースケールの値は画像の「グレースケール形態」であるか、又は画像の「カラー座標形態」の１セットのカラースペースの座標であり、バイナリ形態、グレースケール形態、及びカラー座標形態は、それぞれが画像を定義する２次元アレイである。本明細書に連続的な階調処理として述べられるが、本発明は、各分離がグレースケール又は連続的な階調画像として効果的に処理されるカラー画像の処理にも同様に適用される。従って、本明細書における連続的な階調（コントーン）又はグレースケール画像の処理に関する参照は、カラー画像分解の処理を同様に含むことが意図される。操作は、画像の一部に関連するデータのアイテム上で動作する際に「画像処理」を行う。
【００１８】
「画像入力デバイス」は画像を受像でき、画像のバージョンを定義するデータのアイテムを提供できるデバイスである。「スキャナ」は、ドキュメントを走査することによるなどの走査オペレーションによって画像を受像する画像入力デバイスである。
【００１９】
「画像出力デバイス」は、画像を定義するデータのアイテムを受けられ、出力として画像を提供又は付与することができるデバイスである。「ディスプレイ」とは、人間が目視可能な形態で出力画像を提供する画像出力デバイスである。
【００２０】
ここで、図２に移り、好ましいディジタル画像形成システムの実施形態が記述される。システム２０において、画像ソース３０は、画像処理システムに供給される画像データを生成するために用いられ、該画像処理システムは、当該技術においてディジタルフロントエンド（ＤＦＥ）４０としても知られ、プリントエンジン５０によってレンダリング用の出力データを作成することができる。プリント可能又は表示可能な出力フォーマットへの画像のレンダリングは、多くの位置において達成されるが、本明細書ではプリントエンジン５０で起こると特徴付けられることが理解されるであろう。例えば、画像ソース３０は、スキャナ３２、コンピュータ３４、ネットワーク３６又は類似の又は同等のあらゆる画像入力ターミナルを含みうる。出力エンドプリンタエンジン５０はゼログラフィックエンジンであるのが好ましいが、エンジン５０はインクジェットなどのような同等の代替物を含みうる。本発明は、図２に記述される画像プロセッサ４０の態様に関する。特に、本発明の意図は、画像内に存在するエイリアシング作用を減少させるため、エイリアシング除去処理が提供された画像のエイリアスが除去された領域に沿って生成される画素を識別し、それに従って処理することである。
【００２１】
ここで、図３を参照して、本発明の実施形態のデータフローを示す詳細図が図示される。ＤＦＥシステム４０は、ページ記述言語（ＰＤＬ）などの１つ又はそれ以上の形態で生（未処理）の画像データを受け取る。ディジタル画像データ上で作用する他のプロセス（図示せず）を含む画像を処理する過程において、ＤＦＥ４０は、好ましくはＰＤＬデータを処理し、レンダリング画像処理装置及び有形の媒体（例えば、プリント又はディスプレイ）上の出力に転写するための画像を作成する。他の画像処理操作がＤＦＥ内で行われるが、本発明は、次にプリント又は表示するための出力データに変換する際の、画像データのエイリアシング除去に関する態様を更に含む。点線４０で表されるように、ＤＦＥは、エイリアスが除去された画像情報から独立したタグの形態で出力を提供し得る。
【００２２】
図３において、コントーンデータを有するページ記述言語ファイルなどのＤＦＥに対する入力は、図の左端に例示される。ＰＤＬ又は他のドキュメント情報を分解し、このような情報に従ってドキュメント画像を処理するために、受像後、画像データは、たくさんの周知のプロセスのうちの１つで処理される。上述のように、画像サンプリング操作におけるエイリアシングによってもたらされる好ましくない画像の人為現象を減少させるか又は除去するために、画像データは、この点においても同様にエイリアシング除去フィルターリング操作を経ることが好ましい。例えば、ＤＦＥは、ＰＤＬを高解像度（例えば、2400spi 解像度）画像に分解し得るし、次に、プリント解像度に低下させ、プリントエンジン及びその関連するレンダリング処理装置に転写する前に、高解像度の画像上であらゆる必要な画像処理を行い得る。エイリアシング除去は、高解像度レベルから出力レベルに解像度を低下させるプロセスで行われ、高解像度画像の内容に基づいてタグがセットされ得る。
【００２３】
ＤＦＥにおいて分解され、同時にエイリアシング除去されると、エイリアスが除去された画素は、エイリアスが除去されたタグ付け操作１０２によって表されるようにタグ付けされるのが好ましい。代替的な実施形態において、タグは、エイリアシング除去前後の画像（又はエイリアシング除去がなされた画像となされなかった画像と）の差に基づいてセットされ得る。識別後、それに従ってエイリアスが除去された特定の画素は、通常プリントエンジンの一部である、レンダリング画像処理装置（５０ａ）において処理され得る。他のタグ付け機構は、レンダリング画像処理装置５０に入力する「他のタグ」の表示によって予想されることが、更に理解されるであろう。場合によっては、この他のタグは、ＤＦＥ４０によっても生成され、次に、タグ組合せブロック１０２によって表されるようなエイリアスが除去された画素の識別名（タグ）と組み合わされる。タグを有するコントーンデータが、エイリアスが除去されたレンダリングブロック１０８、及びハーフトーニングブロック１１２に供給される。タグの出力は、エイリアシング除去レンダリングブロック１０８に供給され、エイリアシング除去レンダリングブロック１０８内の処理を制御し、また、マルチプレクサー１１８における選択信号としても用いられる。更に重要なことに、本明細書において述べられるように、タグは複数ビットタグであり、その中の様々なビットは、タグデータを受け取る種々のサブプロセスによって用いられ得る。代替的に、タグは、埋め込まれた「コード」 で、そのため、追加のデータの転写及び蓄積の必要性を回避し得る。エイリアシング除去レンダリングブロック１０８の出力及びハーフトーニングブロック１１２は、共にマルチプレクサー１１８に対する入力として供給され、２つの入力のうちの１つの選択が、マルチプレクサー１１８からの出力であるプロセスバイナリプリントデータを作成するために用いられる。
【００２４】
本発明の好ましい実施形態のデータフローが簡単に記述されたが、ここで図４に注意を移し、図５〜９と共に、更に本発明の態様に従ったエイリアスが除去されたタグ付け方法の実施形態を例示する。一般的に、高解像度の画素の平均化を用いるＤＦＥエイリアシング除去方法のために、レンダリングタグを生成する方法は、プリント出力画素を作成するために平均化される高解像度画素の検査を含む。本発明の範囲内にある代替的な方法として、レンダリング用の処理前の画素の部分領域カバレージに基くタグ付け操作、また、よりメモリ集約的ではあるが、変化した画素を識別するための、入力画像とエイリアスが除去された画像との比較が考えられる。これらの代替例は、共に、エイリアシング除去操作に一致する画像データストリームにおいて用いられると考えられ得る。
【００２５】
エイリアシング除去が高解像度の画素の平均化によって達成される状況において、平均された画素の範囲が、白及び黒の両方に近いグレーレベルにのみ限定される際、エイリアスが除去されたレンダリングのために画素がエッジに沿うようにタグ付けされるのが好ましい（即ち、隣接画素をほぼ飽和状態及び背景にさせる）。更に、さほどタグ付けされていない画素は、通常、適切なシステムハーフトーン操作に従って付与されるであろう。エイリアスが除去された画像画素に関する有益な情報は、出力解像度画像を作成するのに用いられた「親」高解像度画像から決定され得ることが更に理解されるであろう。例えば、高解像度画像情報は、エイリアスが除去された画素の識別における援助に加え、エイリアスが除去された特定のレンダリング機構（例えば、左から右への部分的な画素ドットの成長）を示唆するためにも用いられ得る。
【００２６】
図４で示されるタグ付けプロセスによって表されるように、高解像度画像は出力解像度データにおいてエイリアスが除去された画素を識別するために用いられる。本明細書で述べられるタグ付け方法のうちの１つを更に例示するために、図５の処理ストローク１７０の様々なステップの結果が示されるであろう。特に、ステップ１５０で開始するタグ付けプロセスにおいて、ＤＦＥは、まず画像を高解像度形態にする。次に、ステップ１５２で、出力解像度画素が高解像度画像上に「重ね合わせ」られ、特定の出力解像度画素に関連する高解像度画素を識別する。図６は、高解像度画素グリッド上に重ね合わせられたストローク１７０のアウトラインを図示する（ここで、より低い出力解像度グリッドも同様により太い４×４のグリッドラインによって示される）。上述のように、ステップ１５４は、特定の出力画素における高解像度画素が、全てほぼ飽和レベル及びほぼ背景レベルの何れかであるか否かをテストする。図７は、ストローク１７０を付与するために露光されるであろう画素を含む高解像度画像の例である。本明細書における目的のため、ほぼ飽和の及びほぼ背景のグレーレベルの事実上の範囲は、用いられた特定の画像形成システムに依存しうるが、通常は、それぞれ、最低及び最高グレーレベルの１〜５％（１５％まで可能ではあるが）である。ステップ１５４に対する否定の応答は、タグなし（又はエイリアスが除去されていないタグのステップ１５６）とするが、肯定の応答は、ステップ１５８でタグをセットさせるであろう。エイリアスが除去された画素としてタグ付けされた出力解像度画素の例が、図８に示され、ここで、画素Ｏ1 、Ｏ2 及びＯ3 はステップ１５４に対して肯定の応答となった画素の例である。同様の様式で、図９は、選択的なレンダリングのためにエイリアスが除去されたとしてタグ付けされる画素のみを黒い領域として表す。
【００２７】
エイリアスが除去されたタグ付けは、ステップ１５８において完成されるが、好ましい実施形態において、ステップ１６０によって示唆されるように、高解像度画素情報が用いられ、エイリアスが除去された画素のために一定の状況で適切なレンダリング操作を更に特徴付けることができる。特に、達成され得る好ましい側に対してレンダリングが向けられるべきことが明白である場合、左エッジから、中央（省略時）から、右エッジから成長するドットとして、又は分割ドットとして画素を付与させるために隣接する画像構造情報が用いられることができ、そうでない場合、レンダリングは等方性である。従って、用いられるタグは、追加の情報を提供する複数ビットタグであり得る。
【００２８】
概念は１つの操作に組み合わせられてもよいが、エイリアスが除去された画素の充填命令の決定及び適用は、エイリアスが除去された画素の識別とは概念的に異なる。好ましい実施形態において、各々のタグ付けされた画素は適切なドット又はセルを付与される（ハーフトーンにされる）であろう。エイリアスが除去された画素として認識されない画素は、システムドットを用いてハーフトーンにされるが、エイリアスが除去された画素には、より高い解像度のドット（例えば、好ましくは600spiの範囲内であるが、出力デバイスに依存して200 〜2400spi ）が用いられる。
【００２９】
特定の出力画素のための５つの画素レンダリング方法（４つのＡＡＲ方法及び１つのシステムハーフトーンドット）が以下に表される。
ＡＡＲ用の左充填：  （ＡＡＲ）（Ｌ）
ＡＡＲ用の右充填：  （ＡＡＲ）（Ｒ）
ＡＡＲ用の分割充填：  （ＡＡＲ）（Ｓ）
ＡＡＲ用の中央充填：  （ＡＡＲ）（Ｃ）
システムハーフトーン：  （ＡＡＲ）c 
上記の表示において、ＡＡＲは、エイリアスが除去された値１又はエイリアシング除去されていない値０を所有する論理タグであり、また、Ｌ、Ｒ、Ｓ、及びＣは、左の成長の値１又は左でない成長の値０、右の成長の値１又は右でない成長の値０、分割成長の値１又は分割でない成長の値０、及び中央成長の値１又は中央でない成長のための値０をそれぞれに所有する論理タグである。従って、３ビットのタグは画素がエイリアスが除去されたか否かを表すため、並びに好ましいドットレンダリング方法を示唆するために、用いられることができる。２ビットの情報のみにタグが限定されなければならない場合、分割充填又は中央充填の何れかの利用を避けることが可能である。タグが単一ビットに限定される場合、レンダリング選択をシステムハーフトーンドット及び中央充填又は分割充填ＡＡＲハーフトーンに限定するのが好ましい。図１０は、本発明の１つのレンダリングの実施形態（例えば、４×高アドレス指定、高速スキャン解像度）において作り出されることが可能な画像形成ドットの図である。例示されるように、例えば、左充填（ＡＡＲ（Ｌ））状況において画素の位置は、画素又は画像のドットが完全に充填されるまで累進的に（目標の画素のコントーンレベルに依存して）より幅広の露光パルスを用いて左から充填される。代替的な充填命令及び／又はより高い画素パルス解像度が同様に用いられ得ることが更に理解されるであろう。
【００３０】
総括して、本発明は、エイリアシング除去操作と共に適用されるエイリアスが除去されたタグ付け（ＡＡＴ）の方法である。まず、エイリアスが除去された画素を識別するタグ付け方法が述べられ、この方法は別々に、又は互いに協調して用いられる。エイリアスが除去された画素をタグ付けした後、好ましいレンダリング方法が選択的に決定される。タグ付けされると、このタグは好ましいレンダリング方法を含み、画素データ及びタグは、次にレンダリング処理装置にパスされ、バイナリプリントに好適な形態に配列される。
【００３１】
従って、本発明に従って、画素をエイリアシング除去すると共に画像内のエイリアスが除去された画素をタグ付けする方法が提供されたことが明白である。本発明は、その好ましい実施形態と関連させて述べられたが、多くの代替物、変形例、及びバリエーションが当業者には明白であろうことが明らかである。従って、添付の請求項の精神及び広域の範囲内に含まれるこのような代替物、変形例及びバリエーションを全て包含することが意図される。
【図面の簡単な説明】
【図１】ディジタル化されたドキュメント画像において可能なエイリアシングの影響を示す平面図である。
【図２】本発明の１つ又はそれ以上の態様に好適なシステム−レベルの実施形態を全般的に示すブロック図である。
【図３】本発明の１つの実施形態の汎用データのフロー図である。
【図４】図３に反映されるエイリアシング除去タグ付け操作において実行されるステップを例示するフローチャートである。
【図５】図４に概略されるステップに従って処理される高解像度画像の例示図である。
【図６】図４に概略されるステップに従って処理される高解像度画像の例示図である。
【図７】図４に概略されるステップに従って処理される高解像度画像の例示図である。
【図８】図４に概略されるステップに従って処理される高解像度画像の例示図である。
【図９】図４に概略されるステップに従って処理される高解像度画像の例示図である。
【図１０】本発明の態様に従ってレンダリング操作を制御するために用いられ得るいくつかの可能なドット成長選択を示す図である。
【符号の説明】
１００  エイリアシング除去フィルター
【図１】
0004077576.tif 000002
【図２】
0004077576.tif 000003
【図３】
0004077576.tif 000004
【図４】
0004077576.tif 000005
【図５】
0004077576.tif 000006
【図６】
0004077576.tif 000007
【図７】
0004077576.tif 000008
【図８】
0004077576.tif 000009
【図９】
0004077576.tif 000010
【図１０】
0004077576.tif 000011